(57)【要約】【課題】            １回のノック当りの芯の突出量を予測可能とするようなノック式シャープペンシルの構成を提供すること。【解決手段】        調節リング２の回動を長手方向への移動に変換するための雄ネジ、及び雌ネジによる螺着機構８を設け、当該螺着機構８と締めリング５、又は当該締めリングに対するストッパー６に対し、長手方向への移動伝達機構を設置することに基づき、調節リング２の回動によって、１回のノック４による芯７の先端における突出長を調節し得るノック式シャープペンシルにおいて、シャープペンシル１本体の外側カバーに、長手方向に沿った細長孔３を設け、調節リング２の回動に伴い、前記螺着機構８による長手方向の移動の程度を外側から目視可能としたことに基づき、１回のノック当りの芯７の突出量を予測可能としたノック式シャープペンシル。【選択図】          図１
2005313405.tif 000002
【特許請求の範囲】
【請求項１】
調節リングの回動を長手方向への移動に変換するための雄ネジ、及び雌ネジによる螺着機構を設け、当該螺着機構と締めリング、又は当該締めリングに対するストッパーに対し、長手方向への移動伝達機構を設置することに基づき、調節リングの回動によって、１回のノックによる芯の先端における突出長を調節し得るノック式シャープペンシルにおいて、シャープペンシル本体の外側カバーに、長手方向に沿った細長孔を設け、調節リングの回動に伴い、前記螺着機構による長手方向の移動の程度を外側から目視可能としたことに基づくノック式シャープペンシル。
【請求項２】
調節リングの回動に基づき、締めリングを長手方向に移動自在とし、当該締めリングの位置を細長孔によって目視可能としたことを特徴とする請求項１記載のノック式シャープペンシル。
【請求項３】
調節リングの回動に基づき、締めリングに対するストッパーを口金と独立した状態にて長手方向に移動自在とし、当該ストッパーの位置を細長孔によって目視可能としたことを特徴とする請求項１記載のノック式シャープペンシル。
【請求項４】
調節リングの回動に基づき、長手方向への移動伝達機構に設けた目印を細長孔から目視可能としたことを特徴とする請求項１記載のノック式シャープペンシル。
【請求項５】
細長孔の後端と移動する対象物に付した目印との距離と、１ノック当りの芯が突出する距離とを概略等しく設定したことを特徴とする請求項１記載のノック式シャープペンシル。
【発明の詳細な説明】
【技術分野】
【０００１】
本発明は、調節リングの回動によってノックによって芯が口金の先端から突出する程度を調節し得ることを前提とするノック式シャープペンシルに関するものである。
【背景技術】
【０００２】
前記方式によるノック式シャープペンシルにおいては、調節リングの回動を長手方向への移動に変換するための雄ネジ、及び雌ネジによる螺着機構を設け、当該螺着機構と締めリング、又は当該締めリングに対するストッパーに対し、長手方向への移動伝達機構を設置することに基づき、調節リングの回動によって、１回のノックによる芯の先端における突出長を調節している。
【０００３】
しかしながら、従来技術においては、調節リングの回動によって、前記突出長さを調節したとしても、前記調節によって、直ちに芯の突出長さが判明する訳ではなく、その後のノックによって初めて、芯の突出長さが判明し得るため、ユーザーにおいては、調節リングの回動の程度又は回動の位置と芯の突出長さとの対応関係を十分把握し得る訳ではない。
【０００４】
このため、折角調節リングの回動位置によって、芯の突出長さを調節できるとしても、ユーザーにおいては、所望の突出長さを得るために、調節リングの回動の程度又は回動の位置をどのように設定すれば良いかを十分把握できないか、又は把握するまでに、相当の経験を必要とするというケースが少なからず発生している。
【０００５】
もとより、上記のようなケースは、調節リングの回動によって芯の突出長を調節自在としたことによる技術的意義を半減するものに他ならない。
【０００６】
【特許文献１】実開昭５７−５０３８１号公報。
【０００７】
【特許文献２】実開昭５７−９８８８２号公報。
【０００８】
【特許文献３】実開昭５７−１０１０８５号公報。
【０００９】
【特許文献４】実開昭５７−１２９６８８号公報。
【００１０】
【特許文献５】実開昭５７−１６２８８５号公報。
【発明の開示】
【発明が解決しようとする課題】
【００１１】
本発明は、調節リングを設けたノック式シャープペンシルにおいて、前記のような従来技術の問題点を克服し、ユーザーにおいて、調節リングの回動によって、口金の先端における芯の突出の程度を察知し得るような構成を提供することを課題としている。
【課題を解決するための手段】
【００１２】
前記課題を解決するため、本発明の構成は、調節リングの回動を長手方向への移動に変換するための雄ネジ、及び雌ネジによる螺着機構を設け、当該螺着機構と締めリング、又は当該締めリングに対するストッパーに対し、長手方向への移動伝達機構を設置することに基づき、調節リングの回動によって、１回のノックによる芯の先端における突出長を調節し得るノック式シャープペンシルにおいて、シャープペンシル本体の外側カバーに、長手方向に沿った細長孔を設け、調節リングの回動に伴い、前記螺着機構による長手方向の移動の程度を外側から目視可能としたことに基づくノック式シャープペンシルからなる。
【発明の効果】
【００１３】
本発明においては、ユーザーは、調節リングの回動に基づいて、芯が先端においてどの程度突出するかを十分把握することが可能であり、これによって、ユーザーは、調節リングの回動しながら、適切な芯の突出状況を設定することが可能となる。
【発明を実施するための最良の形態】
【００１４】
ノック式シャープペンシルにおいては、ノックによって移動する芯咬止チャックが締めリングと係合したうえで、芯を把持した状態にて前進し、かつ芯を先端から突出させ、ストッパーとの係合によって、上記把持した状態を開放し、芯の突出を中止するという工程によって、芯の突出量が設定されることになる。
【００１５】
そして、本発明においては、調節リングの回動を長手方向の移動に変換するような伝達機構を設けることによって、締めリング、又は締めリングに対するストッパーの位置が調節され、これによって、前記のように、芯咬止チャックが芯を把持する位置、又は芯を開放する位置が調節され、ひいては、芯の突出量が調節されることになる。
【００１６】
調節リングの回動を長手方向の移動に変換するには、図１（ａ）、（ｂ）、（ｃ）に示すように、シャープペンシル１本体内において、調節リング２の前方に雄ネジ及び雌ネジの螺着機構８を採用しており、当該螺着機構８の前方には、締めリング５、又は当該締めリングに対するストッパー６に長手方向の移動を行わせるための長手方向への移動伝達機構を設置することになる。尚、上記伝達機構は、通常締めリング５、又はストッパー６と螺着機構８との間に介在する棒又はパイプによって実現すると良い。
【００１７】
図１（ａ）は、長手方向への移動伝達機構と接合している締めリング５の位置が、細長孔３を介して目視できる実施形態を示しており、
図１（ｂ）は、長手方向への移動機構と接合機構と接合しているストッパー６を、口金６１と独立した状態にて長手方向移動自在に設定したうえで、細長孔３を介して目視可能な実施形態を示しており、
図１（ｃ）は、長手方向への移動伝達機構に目印３１を付し、当該目印３１が細長孔３を介して目視可能な状態とする実施形態を示している。
【００１８】
図１（ｂ）のような実施形態とは別に、口金自体が締めリングに対するストッパーとしての機能を兼用し得る実施形態も存在し、当該実施形態においても、本発明を適用することは不可能ではないが、その場合には、外部における固定した口金と、内部において、長手方向移動可能な口金の双方を設けると良い（但し、内部における移動可能な口金は、結局ストッパーと同一機能を発揮することにならざるを得ない。）。
【００１９】
通常、螺着機構において、雄ネジ及び雌ネジの一方は、調節リングと接続しており、他方が長手方向への移動機構と接続されていることから、調節リング自体は、長手方向に移動しないが、例外的に雄ネジ又は雌ネジの一方を長手方向への移動機構、及び回動ネジの双方に接続した場合には、調節リングもまた、長手方向に移動する実施形態を採用することが可能となる。
【００２０】
このような実施形態の場合には、調節リングが回動しながら、長手方向に移動することから、一見芯の突出量を予測し得るが如くである。
【００２１】
しかしながら、調節リングとシャープペンシル本体の後端部との距離、又はノックと調節リングとの距離と芯の突出量とは、対応関係にあるも、これらの距離は、目視によって把握しにくいのに対し、図１（ａ）、（ｂ）、（ｃ）に示すような芯７の突出量に対応している締めリング５、ストッパー６、移動伝達機構の目印３１と、細長孔３の後端との距離は、目視によって極めて把握し易いことから、前記のような調節リング２が長手方向に移動する実施形態においても、本発明の構成は、存在価値を有している。
【００２２】
以下、実施例に即して説明する。
【実施例】
【００２３】
実施例においては、細長孔３の後端と移動する対象物の目印３１との距離と、１ノック当りの芯７が突出する距離とを概略等しく設定したことを特徴としている。
【００２４】
即ち、図２に示すように、細長孔３から目視し得る移動対象物に所定の目印３１を付着し、当該目印３１の位置と長手方向の後端との距離を１ノック当りの芯７の突出量と概略等しく設定した場合には、ユーザーは、１ノック当りの芯７の突出量を正確に予測し、かつ把握することが可能となる（尚、図２では、前記距離及び突出量が相互に同一である場合を図示している。）。
【００２５】
目印３１を付着する対象物は、前記実施態様の項において、図１（ａ）、（ｂ）、（ｃ）に即して説明したように、締めリング５、ストッパー６、長手方向移動伝達機構（実際には、移動伝達用の棒又はパイプ）の何れでも良いが(尚、図２においては、当該移動伝達機構に目印３１を付している。)、当該目印３１については、鮮明に目視できるような細い線であることが望ましい。
【産業上の利用可能性】
【００２６】
本発明は、１ノック当りの芯の突出量を調整し得るノック式シャープペンシルにおいて、更にユーザーにとって使用し易い構成として、シャープペンシルの製造分野において利用することが可能である。
【図面の簡単な説明】
【００２７】
【図１】本発明の基本原理に立脚した実施形態を示す側面図であり、（ａ）は、締めリングを目視可能とした実施形態を示しており、（ｂ）は、ストッパーを目視可能とした実施形態を示しており、（ｃ）は、長手方向移動伝達機構による特定の位置を目視可能とした実施形態を示している。
【図２】実施例の構成を示す側面図である。
【符号の説明】
【００２８】
１    シャープペンシル
２    調節リング
３    細長孔
３１    目印
４    ノック
５    締めリング
６    ストッパー
６１    口金
７    芯
８    螺着機構
【図１】
2005313405.tif 000003
【図２】
2005313405.tif 000004